(57)【特許請求の範囲】
【請求項１】
正券と判定された取扱い金種の紙幣を金種別に収納するとともに１枚ずつ繰り出す正券紙幣収納繰出部を少なくとも有する紙幣収納繰出部と、
前記正券紙幣収納繰出部にそれぞれ対応して設けられ、外部からの保留紙幣取り出し可能に形成された一時保留部と、
前記紙幣収納繰出部から繰り出された紙幣の金種判定を行い、その枚数を計数する計数手段と、
前記計数手段で金種判定された特定金種の紙幣を所定の結束単位枚数集積し、この紙幣を結束して帯封する結束部と、
前記紙幣収納繰出部の各々に設けられ、紙幣繰出し動作開始前に当該紙幣収納繰出部内の紙幣残量が所定枚数よりも少なくなっていることを検知する残量少検知部と、
前記残量少検知部が残量少の不検知状態であるときには前記紙幣収納繰出部から前記結束単位枚数の紙幣を繰り出して前記結束部へ搬送して結束させ、再度前記残量少検知部が残量少の不検知状態であれば前記紙幣の繰出し、結束および残量少検知をくり返し、前記残量少検知部が残量少を検知した場合には、次の搬送時には紙幣収納繰出部内の残存紙幣をすべて一時保留部へ搬送させ、前記計数手段で計数した、前記一時保留部に保留されている枚数が所定枚数以上であれば、該一時保留部の紙幣を前記紙幣収納繰出手段に移動させ、前記結束単位枚数を前記結束部へ搬送して結束帯封するように制御する制御部と、
を備えたことを特徴とする紙幣回収処理装置。
【請求項２】
前記残量少検知部で検知する前記所定枚数は、前記結束単位枚数より十分に多い枚数であることを特徴とする請求項１に記載の紙幣回収処理装置。
【発明の詳細な説明】
【０００１】
【発明の属する技術分野】
本発明は紙幣回収処理装置に関するもので、特に銀行等の金融機関において使用され、無人機コーナに対する貨幣、特に紙幣の回収や補充、又は窓口でテラーによって使用される入出金機等に対する貨幣の補充、回収等に使用され、特に銀行等では出納用の処理機として使用されるものである。
【０００２】
【従来の技術】
従来、銀行等の金融機関において、出納室に設置されて使用される紙幣に関する機器として、無人コーナや窓口の入出金機から回収された紙幣を金種別に分類計数して収納する紙幣分類収納機能、補充が行われた後に紙幣を投出する紙幣投出機能、通常１００枚単位で結束して帯封をされた紙幣を作る紙幣結束機能を備えた紙幣回収処理装置が使用されている。
【０００３】
このような目的で使用される紙幣処理装置では、膨大な枚数の紙幣が取り扱われるため、金種別の紙幣収納庫が備えられているのが普通である。この場合、テープが貼られた紙幣、破れや穴のある紙幣、汚れがひどい紙幣などのいわゆる損券、および金種別の収納庫が満杯で入り切らなくなったいわゆるオーバーフロー紙幣は、金種にかかわりなく複数金種が混在する一つの収納庫に収納されている。
【０００４】
【発明が解決しようとする課題】
このような紙幣回収処理装置では、紙幣を回収するためには、すべての紙幣を繰り出して計数し、結束部へ搬送して結束し、その後装置外に取り出す必要がある。この点、従来の装置では、収納庫に収納された１金種の紙幣の結束処理の終了毎に結束単位枚数に満たない端数紙幣は結束部に残り、オペレータがこの端数紙幣を抜き取ることにより当該金種の計数および取り出しを終了させ、次の金種の処理に進むようになっている。
【０００５】
このため、オペレータは常時装置の側に待機している必要があり、省人効果が上がらないという不都合があった。
【０００６】
また、収納庫内に収納しているバラ紙幣の収納枚数は通常金種毎に管理しているが、オペレータが手で装填したり、回収したりするモードでは、オペレータが入力した金額と現実に収納されている枚数に相違が生じてエラーが発生することがある。例えば、出金リジェクトが発生した場合には、装置に記憶されている収納枚数と実際の枚数に相違が生じてしまい、精算のために正確な枚数を把握するためには実際に手で計数をする必要が生ずる。
【０００７】
このように、従来の回収処理装置では、収納紙幣の在高精算のためには、単なる結束処理およびバラ紙幣状態で装置からの取り出しを行う出金処理のみでは不十分であり、オペレータによる端数紙幣枚数確認も必要であるという問題もあった。
【０００８】
本発明はこのような問題を解決するためになされたもので、処理中はオペレータの介入を必要としない紙幣回収処理装置を提供することを目的とする。
【０００９】
【課題を解決するための手段】
本発明にかかる紙幣回収処理装置によれば、
正券と判定された取扱い金種の紙幣を金種別に収納するとともに１枚ずつ繰り出す正券紙幣収納繰出部を少なくとも有する紙幣収納繰出部と、
前記正券紙幣収納繰出部にそれぞれ対応して設けられ、外部からの保留紙幣取り出し可能に形成された一時保留部と、
前記紙幣収納繰出部から繰り出された紙幣の金種判定を行い、その枚数を計数する計数手段と、
前記計数手段で金種判定された特定金種の紙幣を所定の結束単位枚数集積し、この紙幣を結束して帯封する結束部と、
前記紙幣収納繰出部の各々に設けられ、紙幣繰出し動作開始前に当該紙幣収納繰出部内の紙幣残量が所定枚数よりも少なくなっていることを検知する残量少検知部と、
前記残量少検知部が残量少の不検知状態であるときには前記紙幣収納繰出部から前記結束単位枚数の紙幣を繰り出して前記結束部へ搬送して結束させ、再度前記残量少検知部が残量少の不検知状態であれば前記紙幣の繰出し、結束および残量少検知をくり返し、前記残量少検知部が残量少を検知した場合には、次の搬送時には紙幣収納繰出部内の残存紙幣をすべて一時保留部へ搬送させ、前記計数手段で計数した、前記一時保留部に保留されている枚数が所定枚数以上であれば、該一時保留部の紙幣を前記紙幣収納繰出手段に移動させ、前記結束単位枚数を前記結束部へ搬送して結束帯封するように制御する制御部と、
を備えたことを特徴とする。
【００１１】
前記残量少検知部で検知する前記所定枚数は、前記結束単位枚数より十分に多い枚数であるとよい。
【００１２】
この紙幣回収処理装置によれば、残量少検知手段で紙幣収納部内の紙幣残量の概略を検知した上で結束動作を行わせているので、結束動作終了後には残留紙幣量は必ず結束単位枚数以下となるとともに、結束部には結束単位枚数のみが送られることになり、結束部から端数紙幣の取り出しは不要となる。
【００１３】
【発明の実施の形態】
以下、図面を参照して本発明の実施の一形態を説明する。
図１は本発明にかかる紙幣回収処理装置の実施の一形態における全体の概略構成図であって、同図によれば、この紙幣回収処理装置はそれぞれ接離可能な別筐体とされた入出金ユニット１００、結束収納ユニット２００、札束出金ユニット３００より成っている。
【００１４】
以下これら各ユニットにつき構成および動作を詳細に説明する。
（入出金ユニット１００）
入金繰出し部１０１はバラ紙幣を一括して装填する事により取込ローラ等によって１枚ずつ搬送路ａに取込むものであり、搬送路ａは入金識別部１０３に結合されている。
【００１５】
入金識別部１０３は搬送路ａ又は後述する搬送路ｘから送られてくる紙幣について、真偽、正損、金種、表裏、厚み異常券等を識別して各々識別信号を出力する。
【００１６】
この入金識別部１０３を通った紙幣は表裏取揃部１０４において偽券、異常券以外の正常券の全金種について必要な反転を行って表裏を取揃えられる。表裏の取揃えは、入金識別部１０３における表裏検出信号に基づき、そのままの姿勢で紙幣を搬送する搬送路（図示せず）と、反転させる搬送路（図示せず）とを切換えることによって行なう。
【００１７】
リジェクト部１０５は偽券、異常券を搬送路ｃから排出する部分であって、排出された紙幣を係員がここから取り出すことができる。なお、異常券のうちで金種が判別できるものは、後述する損券収納庫に収納されるため、このリジェクト部には送られない。
【００１８】
出金リジェクトボックス１０６は後述する出金識別部２１３で識別された異常紙幣を回収する部分であり、回収された紙幣はここから別途係員が取り出すことができる。なお、出金時の異常紙幣は必ずしもこの出金リジェクトボックスに送るようにする必要はなく、後述するように全く異なった処理を行うこともできる。
【００１９】
カセット紙幣受渡し口１１３は、銀行の窓口入出金機や自動預金機、支払機等に収納されているカセットを回収して、その中に収納されている紙幣を取り出すために、これらカセットを装着して送られる紙幣を搬送路ｘに受入れて識別部１０３に送るための受け渡し口である。
【００２０】
収納紙幣受渡し口１１４は表裏取揃部１０４で表裏取揃えられた紙幣又は後述の固定収納庫２０４〜２０６、損券収納庫２０８から取出された紙幣を搬送路ｆ，ｇ，ｈ，ｉ，ｒ，ｔを介して結束収納ユニット２００に送り出すためのものである。
【００２１】
入金繰出し部１０１又はカセット紙幣受渡し口１１３から送られたバラ紙幣は入金識別部１０３において識別された金種情報に基づいて、搬送路ｊを通して万円専用の一時保留部２０１に、同様に、搬送路ｋを通して五千円専用の一時保留部２０２に搬送路を通して千円専用の一時保留部２０３にそれぞれ保留される。なお、損券については損券収納庫２０８へ収納させるべくその一時保留部２０７に一時保留される。なお、本実施の形態において、損券収納庫に収納されるのは、少なくとも金種が判別できたものに限られる。
【００２２】
これらの一時保留部２０１，２０２，２０３，２０７の位置に対応して筺体にはこれらの一時保留部２０１，２０２，２０３，２０７から集積された紙幣を取り出すための扉が設けられている。
【００２３】
各金種の固定収納庫２０４，２０５，２０６はそれぞれ対応する一時保留部２０１，２０２，２０３で各々保留されている紙幣を別途入力される収納命令により重積収納し、又、払出し時には固定収納庫２０４，２０５，２０６の底部に各々設けられている出金繰出部２０９〜２１１により一枚ずつ取り出し、それぞれ搬送路ｆ，ｇ，ｈへ送ることができる。同様に、損券収納部２０８からはその底部に設けられた出金繰出部２１２により損券を一枚ずつ取り出し、搬送路ｉに送ることができる。
【００２４】
また、出金繰出部２０９〜２１２にはニアエンド検知器ＤＴ１，ＤＴ３，ＤＴ５，ＤＴ７およびエンプティ検知器ＤＴ２，ＤＴ４，ＤＴ６，ＤＴ８がそれぞれ設けられている。ここでニアエンド検知器は検知しようとする紙幣残量に対応して出金繰出部の底面から所定高さ位置に設置された発光素子と受光素子の組み合わせであって、収納繰出部内の残り紙幣の積層状態により所定の紙幣残量に達したかどうかを検知するものである。この所定残量としては後述する結束単位枚数が確実に搬送できるよう、それよりも十分に多い、例えば流通券で１２０枚程度に設定される。また、エンプティ検知器は出金繰出部の底面を角度を有して通過するように設置された発光素子と受光素子からなり、紙幣が１枚でも存在しているときには光が遮られることによりオフとなっているが紙幣が完全に無くなるとオンとなることによりエンプティを検知するものである。
【００２５】
出金識別部２１３は搬送路ｆ，ｇ，ｈ，ｉを各々通ってきた紙幣について、前述した入金識別部１０３と同等の識別または金種識別および斜行、若しくは厚み異常等の搬送異常の検出を行なうものである。
【００２６】
出金一時保留部１５０はバラ紙幣の払出時に各金種別の収納繰出部２０９，２１０，２１１から金種別に一枚ずつ取り出して出金識別部２１３により払出すべき金種であることが確認された場合搬送路ｒ，ｔ，ｙ，ｚを通して取出された紙幣を一時保留する。尚、払出すべきでない、つまり異金種であることが識別部により検出された場合には搬送路ｊ，ｋ，ｌのいずれかを通して正規の金種の収納部に戻すようになっており、払出終了後、再び固定収納庫２０４，２０５，２０６に収納されるようになっている。
【００２７】
バラ紙幣用の出金口１５１は払出しに必要な金種・数量の紙幣が取出されて出金一時保留部１５０に保留された後に、一括して外部に払出す口であり、係員が抜き取ったかどうかをセンサ（図示せず）により検出し、抜き取りが検知されると払出し処理が終了となる。又、多量にバラ紙幣を払出す必要がある場合には所定枚数づつ区分して払出し、抜き取り後、続いて次の払出しを行なうようにしても良い。
【００２８】
なお、出金一時保留部１５０又は出金口１５１にある紙幣について払出しを取消した場合には、それらを出金リジェクトボックス１０６へ搬送路ｍを介して回収することもできる。
【００２９】
尚、上述の一時保留部２０１，２０２，２０３，２０４、固定収納庫２０４，２０５，２０６、損券収納庫２０８はこのような構成に限定される必要はなく、横方向に各収納繰出部を設けて金種別に上下積重ねた状態にしたようなものであってもよい。
（結束収納ユニット２００）
これはバラ紙幣を結束して帯封処理をして収納する部分であり、後述するような２つの整体機構１０７ａ，１０７ｂよりなる整体部１０７、結束部１０８、束搬送部１０９、束収納庫２５０を備えている。
【００３０】
図２に示す内部構造図を参照すると、まず、整体部１０７は搬送路ｓを介して送られてくる紙幣を位置決めしながら結束単位である所定枚数（例えば１００枚）整えて重積させる部分であり、この実施例においては図２に示すように２つの整体機構１０７ａ，１０７ｂを有している。すなわち、収納紙幣受渡し口１１４から搬入された紙幣はその金種を揃えるように搬送路１２３または１２４を通って回転羽根車１２１または１２２の羽根間に挿入され、回転に伴って突当板１２６，１２７に沿って重積され、整体が行われる。搬送路１２３と１２４は振分けゲート１２５によって、金種毎に切換えられるようになっている。例えば、図２の左側の羽根車１２２、搬送路１２４、突当板１２７よりなる整体部１０７ａは一万円札用、図２の右側の羽根車１２１、搬送路１２３、突当板１２６よりなる整体部１０７ｂは千円札用とすることができる。
【００３１】
なお、ここでは結束処理を効率的に行うために２金種用の整体部を有しているが、整体部は１つでも良い。
【００３２】
紙幣が垂直に重積される位置に対応してユニットの操作側前面に扉１２８，１２９がそれぞれ設けられており、これらの扉には電磁ソレノイド等によるロック機構１３０，１３１が設けられている。したがって必要なときには扉１２８，１２９を開けることにより整体部１０７からの紙幣の回収が容易となっている。
【００３３】
２つの整体機構１０７ａ，１０７ｂで各々所定枚数重積された紙幣束は所定の順序でモータ１３３により駆動される移動機構１３４により上下移動をするアーム１３２により結束部１０８に運ばれ、回転機構により紙テープ等を紙幣束の中央部に少なくとも１重巻に巻回させるようにして帯封を行うようにしている。尚、この紙テープには結束時、銀行名、日付、枚数、金種、正損区分等必要事項が印刷、又は印字、押印されるようになっている。
【００３４】
次に束搬送部１０９は第１の搬送部１１０と第２の搬送部１１１、第３の搬送部２１４から成っており、結束部１０８で結束された紙幣束（以後結束紙幣と称す）を下方へ移動する第１の搬送部１１０で下方に移して後述の束収納庫２５０へ収納させ、又、駆動部１３５により水平方向に移動する第２の搬送部１１１によって、後述の束放出庫３０１へ金種別に区分して収納するようになっている。又、第３の搬送部２１４は機外へ放出できるように図示されていない放出口へ個々の束を搬送する。なお、結束紙幣受渡し口１１２は結束紙幣を後述する札束出金ユニット３００側へ送るためのものである。
（札束出金ユニット３００）
これは結束紙幣を収納し、払出す部分であり、図３にその詳細を示す。
【００３５】
束放出庫３０１はそれぞれ万円、五千、千円用に区分された３つの収納部を前後方向に有しており、結束収納ユニット２００から結束紙幣受渡し口１１２を経て送られてきた結束紙幣を金種に応じて前後方向に移動するベルト搬送部３０２により、金種別に区分して収納するものである。各金種別の束放出庫３０１の中には結束紙幣をその上で支持する支持板３０５と載置された結束紙幣の量に応じてこの支持板３０５を上下移動する昇降機構３０６が設けられている。又、取り出し部材３０７が金種別の収納部に対応して設けられ、結束紙幣の払出し時にはこれらの進退運動により収納されている結束紙幣を一束ずつ取り出して取り出し口３０８より払出リフト３０３に載置する。この払出リフト３０３は昇降機構３０９により支持されており、駆動することにより結束紙幣は上方へ送られ、装置上面に設けられた結束紙幣払出口３０４から払出される。
【００３６】
なお、束放出庫の側壁部には結束紙幣が存在していないことを検出する空検知センサ３１０、および結束紙幣が束放出庫３０１の中に満杯状態で収納されていることを検出する満杯検出センサ３１１、および結束紙幣の残量が少ないことを示すニアエンドセンサ３１２がそれぞれ設けられている。これらのセンサは光センサが通常であり、検出方法は限定されないが例えば昇降機構３０６の一部が光をさえぎることにより位置検出を行う形式のものが使用される。
【００３７】
図４は本発明にかかる紙幣入出金処理機のシステム全体の制御系統を示すブロック図であって共通の制御部１には記憶部２、操作部３、表示部４、印字部５、インタフェース部６が接続されており、このインタフェース部６には各ユニットのインタフェース部２１および３１が接続され、各ユニットが制御部１の指令を受けて作動するようになっている。尚、これらのインタフェース部は各ユニットを接続した時に電気的に相互に接続されるようになっている。又、この制御部１は各ユニットで処理される紙幣についての金種別計数データ等を各インタフェースを介して記憶部２に集計記憶させ、表示部４、印字部５に必要に応じて係員別、カセット別、夜間金庫カセット別、にデータ集計の上出力させ、更には補充・回収データも出力させるようになっている。
【００３８】
図５は記憶部中の記憶内容の一部をテーブル形式で示したものであり、これは後述するＲＡＭ２４の一部として実現される。この記憶部中には、各金種について一時保留されている枚数、固定収納庫に収納されている枚数がそれぞれ記録されているが、損券収納庫に関しては、金種を問わないため、各金種の紙幣が混在しているが、一時保留されている枚数、損券収納庫に収納されている枚数は金種別に記憶される。そして、これらの枚数は識別部１０３、２１３での識別結果とセンサでの検出結果に基づいて随時更新される。なお、本発明においては、後述するように、一時保留部の枚数管理が重要となる。ただし、直接外部より紙幣の挿入、引出しがされるような運用の場合には管理ができないこととなる。
【００３９】
図４に戻ると、入出金ユニット１００においてはインタフェース２１に接続されたＣＰＵ２２、ＲＯＭ２３、ＲＡＭ２４によって、操作部２５、搬送部２６、表示部２７、ゲート切換部２８、識別部１０３，２１３、表裏反転部１０４、収納繰出部２０１〜２１２、ニアエンド検知部２１４、エンプティ検知部２１５、紙幣検出部２９で確認しながら制御するようにしており、また、結束収納ユニット２００および札束出金ユニット３００ではインタフェース３１に接続されたＣＰＵ３２、ＲＯＭ３３、ＲＡＭ３４によって、搬送部３５、ゲート切換部３６、整体部１０７、結束部１０８、束収納繰出部２５０，３０１、束搬送部１０９，３０２，３０３を束検出部３１１で確認しながら制御するようにしている。また、札束出金ユニット中の整体部扉のロック機構１３０および１３１もＣＰＵ３２により制御され、整体部内部の紙幣取り出しの必要が生じたときはロックが解除される。
【００４０】
なお、入出金ユニット１００において紙幣検出部２９は複数の紙幣収納繰出部のニアエンド検知部２１４およびエンプティ検知部２１５を除いた紙幣検出センサの集合体として表わしたものである。また、ニアエンドとして検知する位置は、前述したように流通券で１００枚より若干多い枚数、例えば１２０枚に相当する高さ位置として設定されている。
【００４１】
図６および図７は以上説明した実施の形態における特徴的な処理を示すフローチャートである。
【００４２】
図６は結束処理の概要を示すフローチャートである。
【００４３】
結束指示待ちの状態で（ステップＳ１０１）結束指示が与えられると、まず万円券がその収納庫２０４内でエンプティ状態になっているかどうかがセンサＤＴ２の出力に基づいて確認される（ステップＳ１０２）。、エンプティでなければ万円券の結束処理のサブルーチンが実行される（ステップＳ１１０）。
【００４４】
万円券がエンプティであるとき、および万円券の結束処理で万円券用収納庫がエンプティ状態になったときには、千円券がその収納庫２０５内でエンプティになっているかどうかセンサＤＴ４の出力に基づいて確認され（ステップＳ１２１）、エンプティでなければ千円券の結束処理サブルーチンが実行される（ステップＳ１３０）。
【００４５】
千円券もエンプティであるとき、および千円券の結束処理サブルーチン実行後は、五千円券がその収納庫２０６内でエンプティ状態になっているかどうかがセンサＤＴ６の出力に基づいて確認され（ステップＳ１４１）、エンプティでなければ五千円券の結束処理が行われる（ステップＳ１５０）。
【００４６】
五千円券もエンプティであるとき、および五千円券の結束処理サブルーチン実行後は、各一時保留部２０１，２０２，２０３，２０７に紙幣が残っているかどうかを確認し（ステップＳ１６１）、いずれかに残留紙幣がある場合には、一時保留部の扉を開放し（ステップＳ１６２）、紙幣が抜き取られたことを確認して（ステップＳ１６３）、処理を終了する。
【００４７】
図７は図６の結束処理サブルーチンＳ１１０、Ｓ１３０、Ｓ１５０の処理内容を示すフローチャートであり、ここでは万円券の場合を代表して述べるが、他の金種でも全く同じ処理が行われる。
【００４８】
まず、ニアエンド検知器ＤＴ１の出力をニアエンド検知部２１４により認識した結果、収納庫がニアエンド状態になっているときは（ステップＳ１１）、紙幣を繰り出し（ステップＳ１２）、一時保留部に繰り出した紙幣を搬送する（ステップＳ１３）。この搬送枚数は出金識別部２１３により計数され、一時保留部の現在枚数に加算される（ステップＳ１４）。この一時保留部の枚数はＸを１００の位、Ｙを１０の位、Ｘを１の位としてＸＹＺとして表現される。
【００４９】
Ｘが０、すなわち１００枚未満であることが確認されれば（ステップＳ１５）終了する。
【００５０】
一方、収納庫がニアエンドになっておらず、結束を行うのに十分な紙幣量があるときには（ステップＳ１１）、紙幣の繰り出しが行われ（ステップＳ２１）、結束部へ１００枚搬送して（ステップＳ２２）、結束が行われる（ステップＳ２３）。
【００５１】
なお、紙幣の繰出し中にニアエンドが検知されることがあるが、一旦繰出しが行われた以上、少くとも繰出し動作前はニアエンドとなっておらず、結束に十分な紙幣があったことは明らかであるのでそのまま所定枚数の搬送は続けられ、結束後ステップ１１に戻る。
【００５２】
また、収納庫がニアエンドとなっている場合で一時保留部の枚数のＸが１以上、すなわち１００枚以上あるときには（ステップＳ１５）、セパレータ（図示せず）を移動させて一時保留部から収納庫へ紙幣を移動させ（ステップＳ３１）、収納庫から紙幣を繰り出して（ステップＳ３２）、結束部へ１００枚搬送して（ステップＳ２２）、結束が行われる（ステップＳ２３）。この結束処理は残枚数が１００枚以下となるまで繰り返される。
【００５３】
このようなサブルーチンの処理が終了した時点では、一時保留部には必ず１００枚未満の紙幣が残存していることになる。したがって、結束部に端数紙幣が残存することはなく、また必要に応じて一時保留部から端数紙幣を取り出すことが可能となる。
【００５４】
以上の実施の形態では、取り扱う金種は３種類で、損券用と合わせて４個の収納庫を備えるようにしているが、これに限る必要はなく、４金種以上を取扱い可能にするため、収納庫の数を増加させることができる。
【００５５】
【発明の効果】
以上、説明したように、本発明によれば、残量検知手段で紙幣収納部内の紙幣残量が結束に対して余裕のある枚数残っていることを検知し、あるいは紙幣収納部繰出部たが残量少となったときは残存紙幣をすべて一時保留部へ搬送させて一時保留部の保留枚数が所定枚数以上であるときは再度紙幣収納繰出部に移動させた上で結束動作を行わせているので、結束動作終了後には残留紙幣量は必ず結束単位枚数以下となり、効率的な資金活用を行うことができる。
【００５６】
また、結束部には結束単位枚数のみが送られることになり、結束部から端数紙幣の取り出しが必要になることはなく、オペレータの介在が不要となる。
い。
【００５７】
さらに、紙幣収納繰出部に収納されている紙幣を最大限結束して取り出すことができるため、回収効率を向上させることができる。
【図面の簡単な説明】
【図１】本発明にかかる紙幣回収処理装置の実施の一形態における全体の概略構成図。
【図２】結束収納ユニットの内部構造を示す図。
【図３】札束出金ユニットの内部構造を示す図。
【図４】本発明にかかる紙幣入出金処理機のシステム全体の制御系統を示すブロック図。
【図５】損券収納庫中の各金種の枚数の管理を行うメモリテーブルを示す図。
【図６】本実施の形態における処理の概要を示すフローチャート。
【図７】図６における各金種の結束処理サブルーチンを示すフローチャート。
【符号の説明】
１  制御部
２  記憶部
２２，３２  ＣＰＵ
１００  入出金ユニット
１０１  入金繰出し部
１０３  入金識別部
１０４  表裏取揃部
１０５  リジェクト部
１０６  出金リジェクトボックス
１０７、１０７ａ、１０７ｂ  整体部
１０８  結束部
１０９，１１０，１１１，３０２  束搬送部
１２１，１２２  羽根車
１２８，１２９  扉
１３０，１３１ロック機構
１５０  出金一時保留部
１５１  出金口
２００  結束収納ユニット
２０１〜２０３，２０７  一時保留部
２０４〜２０６  固定収納庫
２０８  損券用収納庫
２０９〜２１２  出金繰出部
２１３  出金識別部
２５０  束収納庫
３００  札束出金ユニット
３０１  束放出庫
３０４  束出金口
３１１  満杯検知センサ
ＤＴ１，ＤＴ３，ＤＴ５，ＤＴ７  ニアエンド検知器
ＤＴ２，ＤＴ４，ＤＴ６，ＤＴ８  エンプティ検知器
【図１】
0003803137.tif 000002
【図２】
0003803137.tif 000003
【図３】
0003803137.tif 000004
【図４】
0003803137.tif 000005
【図５】
0003803137.tif 000006
【図６】
0003803137.tif 000007
【図７】
0003803137.tif 000008